(57)【要約】【課題】本発明はチャネル状態情報のフィードバック方法及び端末を提供する。【解決手段】該方法は、UEが第１類プリコーディング行列インデックスPMIと第２類PMIを含むチャネル状態情報を確定するステップと、UEが物理アップリンク共有チャネルPUSCHで第１類PMIと第２類PMIを含むチャネル状態情報をフィードバックするステップとを含み、その中、第１類PMIは、第１プリコーディング行列が第１プリコーディングコードブックでのインデックスを指示することに利用され、第１プリコーディング行列は、ブロードバンドと/或は長期チャネルのチャネル情報をマッピングすることに利用され、第２類PMIは、第２プリコーディング行列が第２プリコーディングコードブックでのインデックスを指示することに利用され、第２プリコーディング行列は、サブバンドと/或は短期チャネルのチャネル情報をマッピングすることに利用される。本発明は、基地局として実際のチャネル条件に基いて動的にシングルユーザMIMO伝送或はマルチユーザMIMO伝送が選択できるようにして、システムの性能を大幅に向上させた。【選択図】図１
2013529868.tif 000002
【特許請求の範囲】
【請求項１】
端末UEが第１類プリコーディング行列インデックスPMIと第２類PMIを含むチャネル状態情報を確定するステップと、
前記UEが物理アップリンク共有チャネルPUSCHで前記第１類PMIと前記第２類PMIを含むチャネル状態情報をフィードバックするステップとを含み、
ここで、前記第１類PMIは第１プリコーディング行列が第１プリコーディングコードブックでのインデックスを指示することに利用され、前記第１プリコーディング行列はブロードバンド及び/または長期チャネルのチャネル情報をマッピングすることに利用され、前記第２類PMIは第２プリコーディング行列が第２プリコーディングコードブックでのインデックスを指示することに利用され、前記第２プリコーディング行列は、サブバンド及び/または短期チャネルのチャネル情報をマッピングすることに利用されることを特徴とするチャネル状態情報のフィードバック方法。
【請求項２】
前記チャネル状態情報は階数インジケータRI情報及び/またはチャネル品質指示CQI情報を更に含むことを特徴とする請求項１に記載の方法。
【請求項３】
前記UEが前記PUSCHで前記第１類PMIと前記第２類PMIを含む前記チャネル状態情報をフィードバックするステップが、
前記UEが前記PUSCHでモード１−２ブロードバンドフィードバックモードを利用して前記第１類PMIと前記第２類PMIをフィードバックするステップを含むことを特徴とする請求項２に記載の方法。
【請求項４】
前記UEが前記PUSCHで前記モード１−２ブロードバンドフィードバックモードを利用して前記第１類PMIと前記第２類PMIをフィードバックするステップが、
前記RI≦a0であり、a0は２より大きい又は等しい正の整数である時、
前記UEは記憶した前記第１プリコーディングコードブックからサブバンド集合に対応する第１プリコーディング行列を選択し、また前記選択した第１プリコーディング行列のインデックス番号を前記サブバンド集合の第１類PMIとしてフィードバックするステップを含むことを特徴とする請求項３に記載の方法。
【請求項５】
前記UEが前記PUSCHで前記モード１−２ブロードバンドフィードバックモードを利用して前記第１類PMIと前記第２類PMIをフィードバックするステップが、
前記RI≦a0であり、a0は２より大きい又は等しい正の整数である時、
前記UEは記憶した前記第２プリコーディングコードブックから前記サブバンド集合に対応する第２プリコーディング行列を選択し、また記憶した前記第２プリコーディングコードブックから前記サブバンド集合における各サブバンドに対応する第２プリコーディング行列を選択し、前記UEは前記選択したサブバンド集合の第２プリコーディング行列のインデックス番号と前記選択した前記サブバンド集合における各サブバンドの第２プリコーディング行列のインデックス番号を第２類PMIとしてフィードバックするステップを含むことを特徴とする請求項３に記載の方法。
【請求項６】
前記UEが前記PUSCHで前記モード１−２ブロードバンドフィードバックモードを使用して前記第１類PMIと前記第２類PMIをフィードバックするステップが、
前記RI≦a0であり、a0は２より大きい又は等しい正の整数である時、
前記UEは記憶した前記第２プリコーディングコードブックから前記サブバンド集合に対応する固定値の第２プリコーディング行列を選択し、また記憶した前記第２プリコーディングコードブックから前記サブバンド集合における各サブバンドに対応する第２プリコーディング行列を選択し、前記UEは選択した前記サブバンド集合における各サブバンドの第２プリコーディング行列のインデックス番号を第２類PMIとしてフィードバックするステップを含むことを特徴とする請求項３に記載の方法。
【請求項７】
前記UEが前記PUSCHで前記モード１−２ブロードバンドフィードバックモードを利用して前記第１類PMIと前記第２類PMIをフィードバックするステップが、
前記RI>a0であり、a0は２より大きい又は等しい正の整数である時、
前記UEは記憶した前記第１プリコーディングコードブックから前記サブバンド集合に対応する第１プリコーディング行列を選択し、また前記選択した第１プリコーディング行列のインデックス番号を前記サブバンド集合の第１類PMIとしてフィードバックするステップを含むことを特徴とする請求項３に記載の方法。
【請求項８】
前記UEが前記PUSCHで前記モード１−２ブロードバンドフィードバックモードを使用して前記第１類PMIと前記第２類PMIをフィードバックするステップが、
前記RI>a0であり、a0は２より大きい又は等しい正の整数である時、
前記UEは記憶した前記第２プリコーディングコードブックから前記サブバンド集合に対応する第２プリコーディング行列を選択し、また前記選択した第２プリコーディング行列のインデックス番号を前記サブバンド集合の第２類PMIとしてフィードバックするステップを含むことを特徴とする請求項３に記載の方法。
【請求項９】
前記UEが前記PUSCHで前記モード１−２ブロードバンドフィードバックモードを利用して前記第１類PMIと前記第２類PMIをフィードバックするステップが、
前記 RI>a0であり、a0は２より大きい又は等しい正の整数である時、
前記UEは記憶した前記第２プリコーディングコードブックから前記サブバンド集合に対応する固定値の第２プリコーディング行列を選択し、前記選択した第２プリコーディング行列のインデックス番号を前記サブバンド集合の第２類PMIとしてフィードバックしないステップを含むことを特徴とする請求項３に記載の方法。
【請求項１０】
前記UEが前記PUSCHで前記第１類PMIと前記第２類PMIを含む前記チャネル状態情報をフィードバックするステップが、
前記UEが前記PUSCHでモード２−２を利用し、UEがサブバンドフィードバックモードを選択して前記第１類PMIと前記第２類PMIをフィードバックするステップを含むことを特徴とする請求項２に記載の方法。
【請求項１１】
前記UEが前記PUSCHで前記モード２−２を利用し、UEがサブバンドフィードバックモードを選択して前記第１類PMIと前記第２類PMIをフィードバックするステップが、
前記RI≦a0であり、a0は２より大きい又は等しい正の整数である時、,
前記UEは前記サブバンド集合からM個のサブバンドを選択し、
前記UEは記憶した前記第１プリコーディングコードブックから前記M個のサブバンドに対応する第１プリコーディング行列を選択し、また前記選択した第１プリコーディング行列のインデックス番号を前記M個のサブバンドの第１類PMIとしてフィードバックし、
前記UEは記憶した前記第２プリコーディングコードブックから前記M個のサブバンドに対応する第２プリコーディング行列を選択し、また前記選択した第２プリコーディング行列のインデックス番号を前記M個のサブバンドの第２類PMIとしてフィードバックするステップを含むことを特徴とする請求項１０に記載の方法。
【請求項１２】
前記UEが前記PUSCHで前記モード２−２を利用し、UEがサブバンドフィードバックモードを選択して前記第１類PMIと前記第２類PMIをフィードバックするステップが、
前記RI≦a0であり、a0は２より大きい又は等しい正の整数である時、
前記UEは前記サブバンド集合からM個のサブバンドを選択し、
前記UEは記憶した前記第２プリコーディングコードブックから前記M個のサブバンドに対応する第２プリコーディング行列を選択し、また前記選択した第２プリコーディング行列のインデックス番号を前記M個のサブバンドの第２類PMIとしてフィードバックするステップを含むことを特徴とする請求項１０に記載の方法。
【請求項１３】
前記UEが前記PUSCHで前記モード２−２を利用し、UEがサブバンドフィードバックモードを選択して前記第１類PMIと前記第２類PMIをフィードバックするステップが、
前記RI≦a0であり、a0は２より大きい又は等しい正の整数である時、
前記UEは前記サブバンド集合からM個のサブバンドを選択し、
前記UEは記憶した前記第１プリコーディングコードブックから前記M個のサブバンドに対応する第１プリコーディング行列を選択し、また前記選択した第１プリコーディング行列のインデックス番号を前記M個のサブバンドの第１類PMIとしてフィードバックし、
前記UEは記憶した前記第２プリコーディングコードブックから前記M個のサブバンドにおける各サブバンドに対応する第２プリコーディング行列を選択し、前記選択した第２プリコーディング行列のインデックス番号を前記M個のサブバンドにおける各サブバンドの第２類PMIとしてフィードバックするステップを含むことを特徴とする請求項１０に記載の方法。
【請求項１４】
前記UEが前記PUSCHで前記モード２−２を利用し、UEがサブバンドフィードバックモードを選択して前記第１類PMIと前記第２類PMIをフィードバックするステップが、
前記UEは記憶した前記第１プリコーディングコードブックから前記サブバンド集合に対応する第１プリコーディング行列を選択し、前記選択した第１プリコーディング行列のインデックス番号を前記サブバンド集合の第１類PMIとしてフィードバックするステップを含むことを特徴とする請求項１０に記載の方法。
【請求項１５】
前記UEが前記PUSCHで前記モード２−２を利用し、UEがサブバンドフィードバックモードを選択して前記第１類PMIと前記第２類PMIをフィードバックするステップが、
前記UEは記憶した前記第２プリコーディングコードブックから前記サブバンド集合に対応される第２プリコーディング行列を選択し、また前記選択した第２プリコーディング行列のインデックス番号を前記サブバンド集合の第２類PMIとしてフィードバックするステップを含むことを特徴とする請求項１４に記載の方法。
【請求項１６】
前記UEが前記PUSCHで前記モード２−２UE選択サブバンドフィードバックモードを使用して前記第１類PMIと前記第２類PMIをフィードバックするステップが、
前記UEは記憶した前記第２プリコーディングコードブックから前記サブバンド集合に対応される固定値の第２プリコーディング行列を選択し、前記選択した第２プリコーディング行列のインデックス番号を前記サブバンド集合の第２類PMIとしてフィードバックしないステップを含むことを特徴とする請求項１４に記載の方法。
【請求項１７】
前記UEが前記PUSCHで前記モード２−２UE選択サブバンドフィードバックモードを使用して前記第１類PMIと前記第２類PMIをフィードバックするステップが、
前記RI>a0であり、a0は２より大きい又は等しい正の整数である時、
前記UEは前記サブバンド集合からM個のサブバンドを選択し、
前記UEは記憶した前記第１プリコーディングコードブックから前記M個のサブバンドに対応される第１プリコーディング行列を選択し、また前記選択した第１プリコーディング行列のインデックス番号を前記サブバンド集合の第１類PMIとしてフィードバックするステップを含むことを特徴とする請求項１０に記載の方法。
【請求項１８】
前記UEが前記PUSCHで前記モード２−２UE選択サブバンドフィードバックモードを使用して前記第１類PMIと前記第２類PMIをフィードバックするステップが、
前記RI>a0であり、a0は２より大きい又は等しい正の整数である時、
前記UEは前記サブバンド集合からM個のサブバンドを選択し、
前記UEは記憶した前記第１プリコーディングコードブックから前記M個のサブバンドに対応される第１プリコーディング行列を選択し、また前記選択した第１プリコーディング行列のインデックス番号を前記サブバンド集合の第１類PMIとしてフィードバックし、
前記UEは記憶した前記第２プリコーディングコードブックから前記M個のサブバンドに対応される固定値の第２プリコーディング行列を選択し、前記選択した第２プリコーディング行列のインデックス番号を前記サブバンド集合の第２類PMIとしてフィードバックしないステップを含むことを特徴とする請求項１０に記載の方法。
【請求項１９】
前記UEが前記PUSCHで前記第１類PMIと前記第２類PMIを含む前記チャネル状態情報をフィードバックするステップが、
前記UEが前記PUSCHでモード３−１ハイレイヤ配置フィードバックモードを使用して前記第１類PMIと前記第２類PMIをフィードバックするステップを含むことを特徴とする請求項２に記載の方法。
【請求項２０】
前記UEが前記PUSCHで前記モード３−１ハイレイヤ配置フィードバックモードを使用して前記第１類PMIと前記第２類PMIをフィードバックするステップが、
前記UEは記憶した前記第１プリコーディングコードブックから前記サブバンド集合に対応される第１プリコーディング行列を選択し、また前記選択した第１プリコーディング行列のインデックス番号を前記サブバンド集合の第１類PMIとしてフィードバックするステップを含むことを特徴とする請求項１９に記載の方法。
【請求項２１】
前記UEが前記PUSCHで前記モード３−１ハイレイヤ配置フィードバックモードを使用して前記第１類PMIと前記第２類PMIをフィードバックするステップが、
前記UEは記憶した前記第２プリコーディングコードブックから前記サブバンド集合に対応される第２プリコーディング行列を選択し、また前記選択した第２プリコーディング行列のインデックス番号を前記サブバンド集合の第２類PMIとしてフィードバックするステップを含むことを特徴とする請求項２０に記載の方法。
【請求項２２】
前記UEが前記PUSCHで前記モード３−１ハイレイヤ配置フィードバックモードを使用して前記第１類PMIと前記第２類PMIをフィードバックするステップが、
前記UEは記憶した前記第２プリコーディングコードブックから前記サブバンド集合に対応される固定値の第２プリコーディング行列を選択し、前記選択した第２プリコーディング行列のインデックス番号を前記サブバンド集合の第２類PMIとしてフィードバックしないステップを含むことを特徴とする請求項２０に記載の方法。
【請求項２３】
前記UEが前記第１類PMIと前記第２類PMIを含むチャネル状態情報を確定するステップが、
前記UEが基地局から前記UEのモードを指示することに利用されるハイレイヤ配置シグナル情報を受信するステップと、
前記UEが前記ハイレイヤ配置シグナル情報に基いて、前記モードを確定し、また前記第１類PMIと第２類PMIを含むチャネル状態情報を確定するステップを含むことを特徴とする請求項１に記載の方法。
【請求項２４】
前記モードは、ハイブリッド伝送モードを含み、シングルユーザMIMO伝送、マルチユーザMIMO伝送、シングルユーザMIMO/マルチユーザMIMO動的切替の伝送の中の少なくとも一つの伝送モードを支援することに利用されることを特徴とする請求項２３に記載の方法。
【請求項２５】
第１類プリコーディング行列インデックスPMIと第２類PMIを含むチャネル状態情報を確定する確定ブロックと、
物理アップリンク共有チャネルPUSCHで第１類PMIと第２類PMIを含むチャネル状態情報をフィードバックするフィードバックブロックとを含み、
その中、前記第１類PMIは第１プリコーディング行列が第１プリコーディングコードブックでのインデックスを指示することに利用され、前記第１プリコーディング行列は、ブロードバンドと/或は長期チャネルのチャネル情報をマッピングすることに利用され、前記第２類PMIは、第２プリコーディング行列が第２プリコーディングコードブックでのインデックスを指示することに利用され、前記第２プリコーディング行列は、サブバンドと/或は短期チャネルのチャネル情報をマッピングすることに利用されることを特徴とする端末。
【発明の詳細な説明】
【技術分野】
【０００１】
本発明は通信分野に関し、特に、チャネル状態情報のフィードバック方法及び端末に関する。
【背景技術】
【０００２】
ロングタームエボリュ−ションアドバンスト（Long  Term  Evolution  Advanced、以下LTE-Aと略称）システムは、ロングタームエボリュ−ション（Long  term  evolution、以下LTEと略称）のエボリュ−ション標準として、更に大きいシステム帯域幅(最高100MHz)を支援し、またLTE既存標準との下位互換性を備える。セルエッジのカバレッジとスループットを向上させるために、LTE-Aは既存のLTEシステムを基に、協力複数入出力（Multiple  Input  Multiple  Output、以下MIMOと略称）技術を提出し、これはまた協調送受信（Cooperation  Output  Multiple  Points、以下COMPと略称）技術とも呼ばれる。該技術は国際移動通信-アドバンス（International  Mobile  Telecommunications-Advance、以下IMT-Advanceと略称）システムのスペクトル利用率が向上でき、またスペクトル資源の不足を緩和することができる。
【０００３】
無線通信において、もし送信端（例えば、ノードeNB）に複数のアンテナが使用されると、空間多重化の方式を利用して伝送速度を向上することができる。即ち、送信端において同一な時間周波数リソースでの異なるアンテナ位置は異なるデータを送信する。もし受信端（例えば、ユーザ端末UE）にも複数のアンテナが使用されると、二つの状況がある。一つの状況は、シングルユーザの場合、全てのアンテナのリソースを全部同一のユーザに分配する。即ち、一つのユーザ装置が一つの伝送間隔内で前記ユーザ装置に分配した物理リソースを単独で占有する。このような伝送形式はシングルユーザMIMO（Single  User-MIMO、以下SU-MIMOと略称）と呼ばれる。もう一つの状況は、マルチユーザの場合、異なるアンテナ空間のリソースを異なるユーザに分配する。即ち、一つのユーザ装置と少なくとも一つの他のユーザ装置が一つの伝送間隔内で前記ユーザ装置に分配した物理リソースを共有する。一つのユーザ装置と他のユーザ装置は、空間分割多元接続或いは空間分割多重化の方式によって、同一の物理リソースを共有し、前記物理リソースは、時間周波数リソースであることができる。このような伝送形式はマルチユーザMIMO（Multiple  Users、以下MU-MIMOと略称）と呼ばれる。
【０００４】
第3世代パートナーシッププロジェクト標準化団体3GPPのロングタームエボリュ−ション技術（Long  term  Evolution、以下LTEと略称）において、UEはハイレベルシグナルによって半静的（semi-statically）に、以下の一つの伝送モード（transmission  mode）に基いて伝送を行うことに設置される。例えば、
【０００５】
モード１：シングルアンテナポート：ポート０（Single-antenna  port: port  0）；
モード２：送信ダイバーシティ（Transmit  diversity）；
モード３：開ループ空間多重化（Open-loop  spatial  multiplexing）；
モード４：閉ループ空間多重化（Closed-loop  spatial  multiplexing）；
モード５：マルチユーザ複数入出力（Multi-user  MIMO）；
モード６：閉ループ  Rank=1  プリコーディング（Closed-loop  Rank=1  precoding）；
モード７：シングルアンテナポート：ポート５（Single-antenna  port: port  5）。
【０００６】
UEは、異なる伝送モードに基いて、送信端へ異なるチャネル状態情報をフィードバックし、その後、送信端（eNB）は、端末（UE）がフィードバックしたチャネル状態情報に基いてスケジューリングを行い、また一定の原則(例えば、最大容量原理)に基いて新規チャネル状態情報を配置し、実際の伝送に利用する。その中、フィードバックしたチャネル状態情報は、チャネル品質指示（Channel quality indication、以下CQIと略称）情報と、プリコーディング行列インジケータ（Precoding Matrix Indicator、以下PMIと略称）情報と、階数インジケータ（Rank Indicator、以下RIと略称）情報とを含む。
【０００７】
CQIは、ダウンリンクチャネル品質を評価する一つの指標である。３６−２１３プロトコルでは、CQIを０〜１５の整数値を利用して表示し、それぞれ異なるCQIレベルを代表し、また異なるCQIにはそれぞれの変調方式と符号化率（MCS）が対応されている。
【０００８】
RIは、空間独立チャネルの数を説明することに利用され、チャネル応答行列の階数階数（rank）に対応される。開ループ空間多重化と閉ループ空間多重化モードでは、UEがRI情報をフィードバックする必要があるが、他のモードでは、RI情報をフィードバックする必要がない。
【０００９】
PMIは、UEがフィードバックしたプリコーディングコードブックのインデックス番号を指す。閉ループ空間多重化、MU-MIMO、RI=1である閉ループ、この三つのモードでは、PMI情報をフィードバックする必要があるが、他の送信モードでは、PMI情報をフィードバックしない。
【００１０】
現在、関連技術では一定のビット数(例えば、４ビット)を通じてチャネル状態情報をフィードバックし、主にシングルユーザMIMOの伝送モードを相手にするため、フィードバック情報は簡単であり、情報の精度は比較的に低い。しかし通信技術の発展に伴い、LTE-AにはシングルユーザMIMOとマルチユーザMIMOの動的切替の伝送モードが徐々に幅広く利用されており、このような伝送モードは、フィードバックしたチャネル状態情報の内容と精度に対して更に高い要求を持ち、また元のフィードバック方法は、もはやLTE-Aシステムの要求を満足させることができず、特にシングルユーザMIMOとマルチユーザMIMOの動的切替の伝送モードがチャネル状態情報に対する高精度要求を満足させることができない。
【発明の概要】
【発明が解決しようとする課題】
【００１１】
本発明は、チャネル状態情報のフィードバック方法及び端末を提供して、関連技術において、フィードバック方法はもはやLTE-Aシステムの要求を満足させることができず、特にシングルユーザMIMOとマルチユーザMIMOの動的切替の伝送モードがチャネル状態情報に対する高精度要求を満足することができない問題を解決することを主な目的とする。
【課題を解決するための手段】
【００１２】
前記目的を実現するために、本発明の一態様によって、チャネル状態情報のフィードバック方法を提供した。
【００１３】
本発明によるチャネル状態情報のフィードバック方法は、UEが第１類プリコーディング行列インデックスPMIと第２類PMIを含むチャネル状態情報を確定するステップと、UEが物理アップリンク共有チャネルPUSCHで第１類PMIと第２類PMIを含むチャネル状態情報をフィードバックするステップとを含み、その中、第１類PMIは、第１プリコーディング行列が第１プリコーディングコードブックでのインデックスを指示することに利用され、第１プリコーディング行列は、ブロードバンド及び/または長期チャネルのチャネル情報をマッピングすることに利用され、第２類PMIは、第２プリコーディング行列が第２プリコーディングコードブックでのインデックスを指示することに利用され、第２プリコーディング行列は、サブバンド及び/または短期チャネルのチャネル情報をマッピングすることに利用される。
【００１４】
前記目的を実現するために、本発明の他の一態様によって、端末を提供した。
【００１５】
本発明による端末は、第１類プリコーディング行列インデックスPMIと第２類PMIを含むチャネル状態情報を確定する確定ブロックと、物理アップリンク共有チャネルPUSCHで第１類PMIと第２類PMIを含むチャネル状態情報をフィードバックするフィードバックブロックとを含み、その中、第１類PMIは、第１プリコーディング行列が第１プリコーディングコードブックでのインデックスを指示することに利用され、第１プリコーディング行列は、ブロードバンド及び/または長期チャネルのチャネル情報をマッピングすることに利用され、第２類PMIは、第２プリコーディング行列が第２プリコーディングコードブックでのインデックスを指示することに利用され、第２プリコーディング行列は、サブバンド及び/または短期チャネルのチャネル情報をマッピングすることに利用される。
【発明の効果】
【００１６】
本発明は、シングルユーザMIMOとマルチユーザMIMOの動的切替の伝送モードで、必要とする第１類PMIと/或は第２類PMIをチャネル状態情報に含ませることによって、UEがフィードバックしたチャネル状態情報の精度を向上させた。そして基地局が実際のチャネル条件に基いて動的にシングルユーザMIMO伝送またはマルチユーザMIMO伝送を選択するようにして、システムの性能を大幅に向上させた。
【図面の簡単な説明】
【００１７】
ここで説明する図面は本発明を理解するためのものであり、本発明の一部を構成し、本発明における実施例と共に本発明を解釈し、本発明を不当に限定するものではない。
【図１】本発明の実施例に係わるチャネル状態情報のフィードバック方法のフローチャートである。
【図２】本発明の好適な実施例１に係わるチャネル状態情報のフィードバック方法のフローチャートである。
【図３】本発明の実施例に係わる端末のブロック図である。
【発明を実施するための形態】
【００１８】
互いに矛盾しないかぎり、本明細書における実施例及び実施例に記載の特徴を互いに結合することができる。以下、図面を参照しつつ実施例に合わせ本発明を詳しく説明する。
【００１９】
本発明を理解するために、以下、先ず本発明の実施例中のUEがフィードバックしたチャネル状態情報に対して説明する。
【００２０】
フィードバックしたチャネル状態情報は、チャネル品質指示（Channel  quality  indication、以下CQIと略称）情報と、プリコーディング行列インジケータ（Precoding  Matrix  Indicator、以下PMIと略称）情報と、階数インジケータ（Rank  Indicator、以下RIと略称）情報とを含む。
【００２１】
CQIは、ダウンリンクチャネル品質を評価する一つの指標である。３６−２１３プロトコルでは、CQIを０〜１５の整数値を利用して表示し、それぞれ異なるCQIレベルを代表し、また異なるCQIにはそれぞれの変調方式と符号化率（MCS）が対応されている。
【００２２】
RIは、空間独立チャネルの数を説明することに利用され、同時に、RIはチャネル応答行列の階数にも対応される。開ループ空間多重化と閉ループ空間多重化モードでは、RI情報はUEによってフィードバックされる必要があるが、他のモードでは、RI情報をフィードバックする必要がない。
【００２３】
PMIは、UEがフィードバックしたプリコーディングコードブックのインデックス番号を指す。閉ループ空間多重化、MU-MIMO、RI=1である閉ループの三つのモードでは、PMI情報をフィードバックする必要があるが、他の送信モードでは、PMI情報をフィードバックしない。
【００２４】
具体的に言えば、LTEに出現するCQIには複数の定義があるが、異なる原則に基いて、CQIを区分することができる。その中、一つの区分方法は、帯域幅の測定に基いて、CQIをブロードバンドCQI（wideband  CQI）とサブバンドCQI（subband  CQI）に分ける。以下、wideband  CQI及びsubband  CQIに対して説明する。
【００２５】
Wideband  CQIは、全てのsubbandに対するチャネル状態指示を指し、subband集合SのCQI情報を得る。
【００２６】
Subband  CQIは、各サブバンドに対するCQI情報を指す。LTEは、異なるシステム帯域幅に基いて、有効帯域幅の対応されるRB（Resource  Block、リソースブロック）をいくつのRBグループに分割し、また各RBグループをsubband、即ちサブバンドと呼ぶ。
【００２７】
その中、subband  CQIは、また全subband  CQIとBest  M  CQIに分ける。全subband  CQIは、全てのサブバンドのCQI情報を報告し、Best  M  CQIは、サブバンド集合SからM個のサブバンドを選択し、このM個のサブバンドのCQI情報を報告し、また同時にM個のサブバンドの位置情報を報告する。
【００２８】
もう一つの区分方法は、コードストリームの数に基いて、CQIをシングルストリームCQIとダブルストリームCQIに分ける。以下に、シングルストリームCQI及びダブルストリームCQIに対して説明する。
【００２９】
シングルストリームCQI：シングルアンテナ送信port  0、port  5、送信ダイバーシティ、MU-MIMO、RI=1の閉ループ空間多重化に利用され、この時、UEは単一コードストリームのCQI情報を報告する。ダブルストリームCQI：閉ループ空間多重化モードに利用される。開ループ空間多重化モードで、チャネル状態情報は未知であり、またプリコーディングの際、ダブルストリームチャネル情報に対して均等化処理を行うため、開ループ空間多重化において、二つのコードストリームのCQIは同一である。
【００３０】
三つ目の区分方法は、CQI表示方法に基いて、CQIを絶対値CQIと差分CQI（Differential  CQI）に分ける。
【００３１】
絶対値CQIは、即ち、４bitで表示するCQIインデックス（CQI  index）である。
【００３２】
Differential  CQI即ち差分CQIは、２bit或は３bitで表示するCQI  indexである。差分CQIは、二つ目のコードストリームを一つ目のコードストリームに比較する差分CQIと、subband  CQIをsubband  CQIに比較する差分CQIに分けられる。
【００３３】
四つ目の区分方法は、CQI報告方式に基いて、CQIをwideband  CQI、UE  selected（subband  CQI）、High  layer  configured（subband  CQI）に分ける。
【００３４】
Wideband  CQIは、subband集合SのCQI情報を指す。
【００３５】
UE  selected（subband  CQI）、即ちBest  M  CQIは、選択したM個のサブバンドのCQI情報をフィードバックし、同時に、M個のサブバンドの位置を報告する。
【００３６】
High  layer  configured（subband  CQI）、即ち全subband  CQIは、各サブバンドに対して一つのCQI情報をフィードバックする。
【００３７】
High  layer  configuredとUE  selectedは、全てサブバンドCQIのフィードバック方式であり、非周期的フィードバックモードで、この二つのフィードバック方式が定義したサブバンドの大きさは一致しない。UE  selectedモードでは、またMの大きさを定義した。表２と表３を参考して下さい。
【００３８】
【表２】
2013529868.tif 000003
【００３９】
【表３】
2013529868.tif 000004
【００４０】
LTEシステムでは、CQI/PMI、RIのフィードバックは周期的なフィードバックであることもできれば、非周期的なフィードバックであることもできる。具体的なフィードバックは表４に示すとおりである。
【００４１】
【表４】
2013529868.tif 000005
【００４２】
その中、周期的にフィードバックするCQI/PMI、RIは、UEがデータを送信する必要がないと、周期的にフィードバックするCQI/PMI、RIは物理アップリンク制御チャネル（Physical  Uplink  Control  Channel、PUCCH）でフォーマット2/2a/2b（PUCCH  format2/2a/2b）で伝送され、UEがデータを送信する必要があると、CQI/PMI、RIは物理アップリンク共有チャネル（Physical  Uplink  Shared  Channel、PUSCH）で伝送される。非周期的にフィードバックするCQI/PMI、RIは、PUSCHだけで伝送される。
【００４３】
重要なチャネル情報であるPMI/RI/CQIがアップリンクにおいてのフィードバック種類は、以下のような二つに分けられる。
【００４４】
周期的フィードバック：主にアップリンク制御チャネルPUCCHにベアリングされる（bearing）情報フィードバックである。
非周期的フィードバック：主にアップリンク共有チャネルPUSCHにベアリングされる（bearing）情報フィードバックである。
【００４５】
ここでは、主にPUSCHでの非周期的フィードバックを論述し、前記非周期的フィードバックは精度が比較的に高いフィードバックである。周期的フィードバックは必ず配置しなければならない。非周期的フィードバックは非定期的なトリガ型のフィードバックであり、補助的な、精度を向上させるフィードバックに属する。
【００４６】
Mode  x-yにおいて、xはCQIのフィードバックを表示し、１はブロードバンドCQI（即ちWideband  CQI）のフィードバックであり、２はサブバンドCQI（即ちSubband  CQI）のフィードバックであり、３はハイレイヤ配置のCQIのフィードバックである。YはPMIフィードバックを表示し、０はPMI無しであり、１はsingle  PMIであり、２は複数PMIである。
【００４７】
閉ループ空間多重化はいつもPMIのあるフィードバックを支援する。よって、その支援するPUSCHでのフィードバックモードは、Modes  １−２、２−２、３−１である。
【００４８】
実際のフィードバックにおいて、RIも前記CQI情報とPMI情報と共に同一のPUSCHのサブフレーム内でフィードバックされる。RIは１〜Nの範囲内の一つの数値に制限され、N＝min（Nt，Nr）であり、その中、Ntは送信アンテナ数を表示し、Nrは受信アンテナ数を表示する。
【００４９】
CQIのフィードバックは、意味によって、主にサブバンドCQIとブロードバンドCQIに分かれる。即ち複数サブバンドの聯合CQIである。その意味は、それぞれにダウンリンクは一つのサブバンドを使用して、支援できるCQIレベルを伝送すると仮定することと、ダウンリンクは複数のサブバンドを使用して、支援できるCQIレベルを共に伝送すると仮定することである。
【００５０】
そして、同一のリソース単位のCQIは１個或は２個であることができる。主にRIに関わり、RI＝1である時は１個のCQIであり、RI>1である時は２個のCQIである。１個のCQIである時は４bitであり、２個のCQIをフィードバックする時、二つ目のCQIは差動技術を利用し、一つ目のCQIに基いて差動し、３bitである。最大に１１bitであり、これはPUCCHでフィードバックする時、CSI情報の最大の支援できるオーバーヘッドである。
【００５１】
ロングタームエボリュ−ションアドバンスト（Long Term Evolution Advanced、以下LTE-Aと略称）システムは、ロングタームエボリュ−ション（Long term evolution、以下LTEと略称）のエボリュ−ション標準として、更に大きいシステム帯域幅(最高に100MHz)を支援し、またLTE既存標準との下位互換性を備える。セルエッジのカバレッジとスループットを向上させるために、LTE-Aは既存のLTEシステムを基にして、ダウンリンクは最大で８個のアンテナと、RI＝8を支援し、またフィードバックにおいて、いくつかのフィードバックを強化する技術を提出しているが、主にコードブックのフィードバック精度を強化する。該技術は国際移動通信-アドバンス（International Mobile Telecommunications-Advance、以下IMT-Advanceと略称）システムのスペクトル利用率を向上でき、スペクトル資源の不足を緩和できる。
【００５２】
該技術は、以下のように説明することができる。
１）一つのサブバンドのプリコーディング/フィードバック構造は、二つの行列によって構成される。
２）二つの行列における行列は全て一つの単独なコードブックに属する。コードブックは基地局とUEに同時に知られるものである。行列は異なる時間と異なるサブバンドで一定な変化があってもよい。
３）一つの行列はブロードバンド上または長時間チャネルのプロパティを表示する。もう一つの行列は確定された周波数帯域上または短時間チャネルのプロパティを表示する。
４）使用される行列コードブックは、計算可能な有限行列集合の形式で表現され、またUEと基地局は、各行列は全て知ることができる。
【００５３】
ここから知られるように、チャネル情報のフィードバックにおいて、一つのダブルコードブックを基にする構造を提出した。更に以下のように説明することができる。
【００５４】
チャネル情報をフィードバックする必要がある一つのサブバンドまたは複数の聯合サブバンドに対して、UEは端末に向かって少なくとも二つのPMI情報をフィードバックし、それぞれ第１類PMIと第２類PMIであり、またそれぞれPMI１とPMI２とする。その中、PMI１は一つのコードブックにおけるコードワードW１に対応され、PMI２はもう一つのコードブックにおけるコードワードW２に対応される。基地局側には同一な和の情報があり、PMI１とPMI２を受信した後、対応するコードブックの和から対応するコードワードW１とW２を探し出し、また約束した函数規則F（W１，W２）によって、チャネル情報を獲得する。
【００５５】
LTE-Aにおいて、SU/MUを支援する伝送モードの場合、フィードバックする必要があるブロードバンド/複数サブバンドチャネル情報の中で、伝送する必要があるチャネル情報にはRI、PMI１とPMI２、及びCQIがあることが分かる。
【００５６】
本発明を理解するために、以下に、先ず本発明の実施例中のUEがフィードバックするチャネル状態情報に対して説明する。
【００５７】
フィードバックするチャネル状態情報は、チャネル品質指示CQI情報と、プリコーディング行列インジケータPMI情報と、階数インジケータRI情報とを含む。
【００５８】
ハイレイヤの半静的配置に基いて、UEはPUCCH物理チャネルで周期的にCQI/PMI/RI情報をフィードバックし、使用するフィードバックモードは表５に示すとおりである。
【００５９】
マルチアンテナシステムにおいて、チャネル応答行列を直接にフィードバックするビットオーバーヘッドは大きく、またはチャネル応答行列に対して例えばSVD等の分解を行って最適なプリコーディング行列を得てフィードバックを行ってもそのオーバーヘッドは依然として大きい。その故、送受信端の全部知っているプリコーディングコードブック集合を作って、得られた最適のプリコーディング行列とプリコーディングコードブック集合におけるコーディング行列を比較して、最も近いプリコーディングコードブックが対応するインデックス値を選択して、フィードバックする必要がある。これで、ビットオーバーヘッドを大幅に節約することができる。これらのフィードバックのプリコーディングコードブックのインデックス値がPMIである。
【００６０】
PMIのフィードバック粒度は、全体の帯域幅が一つのPMIをフィードバックすることもできれば、サブバンドsubbandに基いてPMIをフィードバックすることもできる。LTEプロトコルには、二つのPMIフィードバック種類を定義した。それぞれsingle  PMIとmultiple  PMIである。Single  PMIは、全体のシステムの有効帯域幅ＮＲＢＤＬを表示することもできれば、一部のRBサブ集合を表示することもできる。Single  PMIが表示するRB数はハイレイヤによって半静的に配置される。
【００６１】
一つのUEに対して、一つのサブバンドにおいて、全部一つの第１類PMIともう一つの第２類PMIがあり、第１類PMIは行列W１を指示し、第２類PMIはもう一つの行列W２を指示する。プリコーディング行列Wは二つの行列W１とW２の函数であり、W１はコードブックに属し、W２はコードブックに属する。第１類PMIはコードブックのインデックスであり、第２類PMIはコードブックのインデックスである。その中、W１はブロードバンド/長期のチャネル情報を備え、W２はサブバンド/短期のチャネル情報を備える。
【００６２】
以下の実施例で、第１類PMIはブロードバンドwidebandのプリコーディング行列インデックスを指示することに利用され、前記第２類PMIはサブバンドsubbandのプリコーディング行列インデックスを指示することに利用される。または、第１類PMIは長期long  termのプリコーディング行列インデックスを指示することに利用され、第２類PMIは短期short  termのプリコーディング行列インデックスを指示することに利用される。または、第１類PMIは長期とブロードバンドのプリコーディング行列インデックスを指示することに利用され、第２類PMIは短期とサブバンドのプリコーディング行列インデックスを指示することに利用される。または、第１類PMIは長期とブロードバンドのプリコーディング行列インデックス、短期とブロードバンドのプリコーディング行列インデックスを指示することに利用され、第２類PMIは短期とサブバンドのプリコーディング行列インデックスを指示することに利用される。または、第１類PMIはブロードバンドのプリコーディング行列インデックスを指示することに利用され、前記第２類PMIはブロードバンドのプリコーディング行列インデックスを指示することに利用される。
【００６３】
本発明の実施例に基いて、チャネル状態情報のフィードバック方法を提供した。図１は本発明の実施例に係わるチャネル状態情報のフィードバック方法のフローチャートであり、以下のようなステップS１０２〜ステップS１０４を含む。
【００６４】
ステップS１０２：UEが第１類PMIと第２類PMIを含むチャネル状態情報を確定する。
【００６５】
ステップS１０４：UEがPUSCHで第１類PMIと第２類PMIを含むチャネル状態情報をフィードバックする。
【００６６】
関連技術では、PMIに対して区分してフィードバックしないため、フィードバックしたチャネル状態情報は精度に欠け、シングルユーザMIMOとマルチユーザMIMOの動的切替の伝送モードがチャネル状態情報に対する高精度要求を満足させることができない。本発明の実施例では、区分した後のPMIをフィードバックするチャネル状態情報の内容に含ませることによって、チャネル状態情報の精度を大幅に向上させた。そして基地局が、フィードバックされたチャネル状態情報に基いて適時にチャネルのリアルタイム状況を了解するようにして、シングルユーザMIMO伝送、マルチユーザMIMO伝送とシングルユーザMIMO/マルチユーザMIMOの動的切替の伝送を支援するようにする。それによってシステムの性能を大幅に向上させた。
【００６７】
ステップS１０２において、UEは配置シグナルに基いて伝送モードを確定することができ、新規のハイブリッドハイブリッド伝送モードで、配置シグナルに基いてフィードバックモードを確定し、確定したフィードバックモードで、フィードバックするチャネル状態情報は第１類プリコーディング行列インデックスPMIと、第２類PMIの中の少なくとも一つを含むことが好ましい。
【００６８】
その中、第１類PMIは一つの第１プリコーディング行列が第１プリコーディングコードブックでのインデックスを指示することに利用され、各第１プリコーディング行列は一つのブロードバンド及び/または長期チャネルのチャネル情報をマッピングすることに利用され、第２類PMIは一つの第２プリコーディング行列が第２プリコーディングコードブックでのインデックスを指示することに利用され、各第２プリコーディング行列は一つのサブバンド及び/または短期チャネルのチャネル情報をマッピングすることに利用される。
【００６９】
その中、伝送モードは、一つの新規のハイブリッド伝送モードであり、シングルユーザMIMO、マルチユーザMIMO、シングルユーザMIMOとマルチユーザMIMOの切替の伝送モード等の三つの伝送方式の中の少なくとも一つを支援し、LTE-Aの要求に応じる。
【００７０】
チャネル状態情報は、RI情報及び/またはCQI情報を更に含むことが好ましい。
【００７１】
UEがPUSCHで第１類PMIと第２類PMIを含むチャネル状態情報をフィードバックするステップは、UEがPUSCHでモード1-2ブロードバンドフィードバックモードを利用して第１類PMIと第２類PMIをフィードバックするステップを含むことが好ましい。
【００７２】
UEがPUSCHでモード１−２ブロードバンドフィードバックモードを使用して第１類PMIと第２類PMIをフィードバックするステップは、RI≦a0であり、a0は２より大きい又は等しい正の整数である時、UEは記憶した第１プリコーディングコードブックからサブバンド集合に対応される第１プリコーディング行列を選択し、また選択した第１プリコーディング行列のインデックス番号をサブバンド集合の第１類PMIとしてフィードバックするステップを含むことが好ましい。
【００７３】
UEがPUSCHでモード１−２ブロードバンドフィードバックモードを利用して第１類PMIと第２類PMIをフィードバックするステップは、RI≦a0であり、a0は２より大きい又は等しい正の整数である時、UEは記憶した第２プリコーディングコードブックからサブバンド集合に対応される第２プリコーディング行列を選択し、また記憶した第２プリコーディングコードブックからサブバンド集合における各サブバンドに対応される第２プリコーディング行列を選択し、UEは選択したサブバンド集合の第２プリコーディング行列のインデックス番号と選択したサブバンド集合における各サブバンドの第２プリコーディング行列のインデックス番号を第２類PMIとしてフィードバックするステップを含むことが好ましい。
【００７４】
UEがPUSCHでモード１−２ブロードバンドフィードバックモードを利用して第１類PMIと第２類PMIをフィードバックするステップは、RI≦a0であり、a0は２より大きい又は等しい正の整数である時、UEは記憶した第２プリコーディングコードブックからサブバンド集合に対応される固定値の第２プリコーディング行列を選択し、また記憶した第２プリコーディングコードブックからサブバンド集合における各サブバンドに対応する第２プリコーディング行列を選択し、UEは選択したサブバンド集合における各サブバンドの第２プリコーディング行列のインデックス番号を第２類PMIとしてフィードバックするステップを含むことが好ましい。
【００７５】
UEがPUSCHでモード１−２ブロードバンドフィードバックモードを利用して第１類PMIと第２類PMIをフィードバックするステップは、RI>a0であり、a0は２より大きい又は等しい正の整数である時、UEは記憶した第１プリコーディングコードブックからサブバンド集合に対応する第１プリコーディング行列を選択し、また選択した第１プリコーディング行列のインデックス番号をサブバンド集合の第１類PMIとしてフィードバックするステップを含むことが好ましい。
【００７６】
UEがPUSCHでモード１−２ブロードバンドフィードバックモードを使用して第１類PMIと第２類PMIをフィードバックするステップは、RI>a0であり、a0は２より大きい又は等しい正の整数である時、UEは記憶した第２プリコーディングコードブックからサブバンド集合に対応する第２プリコーディング行列を選択し、また選択した第２プリコーディング行列のインデックス番号をサブバンド集合の第２類PMIとしてフィードバックするステップを含むことが好ましい。
【００７７】
UEがPUSCHでモード１−２ブロードバンドフィードバックモードを使用して第１類PMIと第２類PMIをフィードバックするステップは、UEは記憶した第２プリコーディングコードブックからサブバンド集合に対応する固定値の第２プリコーディング行列を選択し、選択した第２プリコーディング行列のインデックス番号をサブバンド集合の第２類PMIとしてフィードバックしないステップを含むことが好ましい。
【００７８】
UEがPUSCHで第１類PMIと第２類PMIを含むチャネル状態情報をフィードバックするステップは、UEがPUSCHでモード２−２を利用し、UEがサブバンドフィードバックモードを選択し、第１類PMIと第２類PMIをフィードバックするステップを含むことが好ましい。
【００７９】
UEがPUSCHでモード２−２を利用し、UEがサブバンドフィードバックモードを選択して第１類PMIと第２類PMIをフィードバックするステップは、RI≦a0であり、a0は２より大きい又は等しい正の整数である時、UEはサブバンド集合からM個のサブバンドを選択し、UEは記憶した第１プリコーディングコードブックからM個のサブバンドに対応する第１プリコーディング行列を選択し、また選択した第１プリコーディング行列のインデックス番号をM個のサブバンドの第１類PMIとしてフィードバックし、UEは記憶した第２プリコーディングコードブックからM個のサブバンドに対応する第２プリコーディング行列を選択し、また選択した第２プリコーディング行列のインデックス番号をM個のサブバンドの第２類PMIとしてフィードバックするステップを含むことが好ましい。
【００８０】
UEがPUSCHでモード２−２を利用し、UEはサブバンドフィードバックモードを選択して第１類PMIと第２類PMIをフィードバックするステップは、RI≦a0であり、a0は２より大きい又は等しい正の整数である時、UEはサブバンド集合からM個のサブバンドを選択し、UEは記憶した第２プリコーディングコードブックからM個のサブバンドに対応する第２プリコーディング行列を選択し、また選択した第２プリコーディング行列のインデックス番号をM個のサブバンドの第２類PMIとしてフィードバックするステップを含むことが好ましい。
【００８１】
UEがPUSCHでモード２−２を利用し、UEはサブバンドフィードバックモードを選択して第１類PMIと第２類PMIをフィードバックするステップは、RI≦a0であり、a0は２より大きい又は等しい正の整数である時、UEはサブバンド集合からM個のサブバンドを選択し、UEは記憶した第１プリコーディングコードブックからM個のサブバンドに対応する第１プリコーディング行列を選択し、また選択した第１プリコーディング行列のインデックス番号をM個のサブバンドの第１類PMIとしてフィードバックし、UEは記憶した第２プリコーディングコードブックからM個のサブバンドにおける各サブバンドに対応する第２プリコーディング行列を選択し、また選択した第２プリコーディング行列のインデックス番号をM個のサブバンドにおける各サブバンドの第２類PMIとしてフィードバックするステップ含むことが好ましい。
【００８２】
UEがPUSCHでモード２−２を利用し、UEはサブバンドフィードバックモードを選択して第１類PMIと第２類PMIをフィードバックするステップは、RI≦a0であり、a0は２より大きい又は等しい正の整数である時、UEは記憶した第１プリコーディングコードブックからサブバンド集合に対応する第１プリコーディング行列を選択し、また選択した第１プリコーディング行列のインデックス番号をサブバンド集合の第１類PMIとしてフィードバックするステップを含むことが好ましい。
【００８３】
UEがPUSCHでモード２−２を利用し、UEはサブバンドフィードバックモードを選択して第１類PMIと第２類PMIをフィードバックするステップは、RI≦a0であり、a0は２より大きい又は等しい正の整数である時、UEは記憶した第２プリコーディングコードブックからサブバンド集合に対応する第２プリコーディング行列を選択し、また選択した第２プリコーディング行列のインデックス番号をサブバンド集合の第２類PMIとしてフィードバックするステップを含むことが好ましい。
【００８４】
UEがPUSCHでモード２−２を利用し、UEはサブバンドフィードバックモードを選択して第１類PMIと第２類PMIをフィードバックするステップは、RI≦a0であり、a0は２より大きい又は等しい正の整数である時、UEは記憶した第２プリコーディングコードブックからサブバンド集合に対応する固定値の第２プリコーディング行列を選択し、選択した第２プリコーディング行列のインデックス番号をサブバンド集合の第２類PMIとしてフィードバックしないステップを含むことが好ましい。
【００８５】
UEがPUSCHでモード２−２を利用し、UEはサブバンドフィードバックモードを選択して第１類PMIと第２類PMIをフィードバックするステップは、RI>a0であり、a0は２より大きい又は等しい正の整数である時、UEはサブバンド集合からM個のサブバンドを選択し、UEは記憶した第１プリコーディングコードブックでM個のサブバンドに対応される第１プリコーディング行列を選択し、また選択した第１プリコーディング行列のインデックス番号をサブバンド集合の第１類PMIとしてフィードバックするステップを含むことが好ましい。
【００８６】
UEがPUSCHでモード２−２を利用し、UEはサブバンドフィードバックモードを選択して第１類PMIと第２類PMIをフィードバックするステップは、RI>a0であり、a0は２より大きい又は等しい正の整数である時、UEはサブバンド集合からM個のサブバンドを選択し、UEは記憶した第１プリコーディングコードブックからM個のサブバンドに対応する第１プリコーディング行列を選択し、また選択した第１プリコーディング行列のインデックス番号をサブバンド集合の第１類PMIとしてフィードバックし、UEは記憶した第２プリコーディングコードブックからM個のサブバンドに対応する固定値の第２プリコーディング行列を選択し、選択した第２プリコーディング行列のインデックス番号をサブバンド集合の第２類PMIとしてフィードバックしないステップを含むことが好ましい。
【００８７】
UEがPUSCHで第１類PMIと第２類PMIを含むチャネル状態情報をフィードバックするステップは、UEがPUSCHでモード３−１を利用し、ハイレイヤ配置フィードバックモードを利用して第１類PMIと第２類PMIをフィードバックするステップを含むことが好ましい。
【００８８】
UEがPUSCHでモード３−１を利用し、ハイレイヤ配置フィードバックモードを利用して第１類PMIと第２類PMIをフィードバックするステップは、UEは記憶した第１プリコーディングコードブックからサブバンド集合に対応する第１プリコーディング行列を選択し、また選択した第１プリコーディング行列のインデックス番号をサブバンド集合の第１類PMIとしてフィードバックするステップを含むことが好ましい。
【００８９】
UEがPUSCHでモード３−１を利用し、ハイレイヤ配置フィードバックモードを利用して第１類PMIと第２類PMIをフィードバックするステップは、UEは記憶した第２プリコーディングコードブックからサブバンド集合に対応する第２プリコーディング行列を選択し、また選択した第２プリコーディング行列のインデックス番号をサブバンド集合の第２類PMIとしてフィードバックするステップを含むことが好ましい。
【００９０】
UEがPUSCHでモード３−１を利用し、ハイレイヤ配置フィードバックモードを利用して第１類PMIと第２類PMIをフィードバックするステップは、UEは記憶した第２プリコーディングコードブックからサブバンド集合に対応する固定値の第２プリコーディング行列を選択し、選択した第２プリコーディング行列のインデックス番号をサブバンド集合の第２類PMIとしてフィードバックしないステップを含むことが好ましい。
【００９１】
前記実施例を理解するために、以下に、本発明の他の複数の好ましい実施例に対して更に説明する。
【００９２】
最適な実施例１
図２は本発明の好ましい実施例１に係るチャネル状態情報のフィードバック方法のフローチャートであり、以下のようなステップS２０２〜ステップS２１０を含む。
【００９３】
ステップS２０２、送信端は、UEによるダウンリンクチャネル状態を検出するためのパイロットをUEに送信する。
【００９４】
その中、本ステップにおいて、送信端は基地局eNodeBであってもよいが、これに限らない。
【００９５】
ステップS２０４、UEは受信したパイロット情報に基いてダウンリンクチャネルを推定する。
【００９６】
ステップS２０６、UEは指示情報に基いてチャネル状態情報報告をフィードバックするフォーマットを確定する。
【００９７】
本ステップにおいて、指示情報はハイレイヤ配置シグナル情報である。チャネル状態情報はいくつのPMI情報、いくつのCQI情報とRI情報を含むことができ、その中、PMI情報は第１類PMIと第２類PMIを含む。
【００９８】
ステップS２０８、UEはチャネル状態情報報告をPUSCHを通じて、送信端にフィードバックする。
【００９９】
ステップS２１０、送信端はUEがフィードバックしたチャネル状態情報に基いてスケジューリングし、シングルユーザMIMOまたはマルチユーザMIMOの伝送を実現する。
【０１００】
最適な実施例２
本最適な実施例２のチャネル状態情報のフィードバック方法は、以下のようなものを含む。
【０１０１】
単一伝送モード(例えば、ハイブリッド伝送モード等)で、UEは指示情報に基いてチャネル状態情報が含んだ内容を確定し、ここで、指示情報は基地局eNodeBが発行したハイレイヤ配置シグナル情報である。
【０１０２】
UEは、第１類PMI、第２類PMI、RIとCQI情報の中の少なくとも一つを含むチャネル状態情報をeNodeBに送信し、ここで、PUSCHで非周期的に第１類PMI、第２類PMIをフィードバック伝送する。チャネル状態情報の含む内容が多ければ多いほど、情報の精度を向上することができる。
【０１０３】
本実施例で、UEは配置シグナルに基いて伝送モードを確定する。新規のハイブリッド伝送モードでは、配置シグナルに基いて、フィードバックモードを確定し、チャネル状態情報の含んだ内容を確定する。
【０１０４】
本最適な実施例２で、第１類PMIと第２類PMIのPUSCHでのフィードバックモードは、ブロードバンドフィードバックモードである。即ち単一CQI、複数PMIのフィードバックモードであり、Mode１−２とする。
【０１０５】
RIがa0より小さい又は等しい時、
Mode１−２で、第１プリコーディングコードブックからサブバンド集合Sのために最適な第２プリコーディング行列W１を選択し、第２プリコーディングコードブックからサブバンド集合Sのために最適の第２プリコーディング行列W２を選択し、第２プリコーディングコードブックから各subbandのために最適の第２プリコーディング行列W２を選択し、UEは各コードストリームの４bitブロードバンドCQIをフィードバックし、差分CQIフォーマットを使用しない、UEは一つのブロードバンドの第１類PMIをフィードバックし、各サブバンドの第２類PMIをフィードバックし、単一伝送モードでのCQI/PMIの算出はRIのフィードバックに基づく。
【０１０６】
またはMode１−２で、第１プリコーディングコードブックからサブバンド集合Sのために最適な第２プリコーディング行列W１を選択し、サブバンド集合Sのために、固定値の第２プリコーディング行列W２を選択し、第２プリコーディングコードブックから各subbandのために最適な第２プリコーディング行列W２を選択し、UEは各コードストリームの４bitブロードバンドCQIをフィードバックし、差分CQIフォーマットを利用しない、UEはブロードバンドの第１類PMIをフィードバックし、各サブバンドの第２類PMIをフィードバックし、単一伝送モードでのCQI/PMI算出はRIのフィードバックに基づく。
【０１０７】
RIがa0より大きい又は等しい時、以下のような三つの方式を使用することができる。
【０１０８】
一つ目：第１プリコーディングコードブックからサブバンド集合Sのために最適な第１プリコーディング行列W１を選択し、第２プリコーディングコードブックからサブバンド集合Sのために最適な第２プリコーディング行列W２を選択し、UEは各コードストリームの４bitブロードバンドCQIをフィードバックし、差分CQIフォーマットを利用しない、UEは各サブバンドのPMIをフィードバックし、単一伝送モードでのCQI/PMI計算はRIのフィードバックに基づく。
【０１０９】
二つ目：第１プリコーディングコードブックからサブバンド集合Sのために最適な第１プリコーディング行列W１を選択し、第２プリコーディングコードブックからサブバンド集合Sのために固定値の第２プリコーディング行列W２を選択し、UEは各コードストリームの４bitブロードバンドCQIをフィードバックし、差分CQIフォーマットを用いない、UEは各サブバンドのPMIをフィードバックし、単一伝送モードでのCQI/PMIの算出はRIのフィードバックに基づく。
【０１１０】
三つ目：第１プリコーディングコードブックからサブバンド集合Sのために最適な第１プリコーディング行列W１を選択し、UEは各コードストリームの４bitブロードバンドCQIをフィードバックし、差分CQIフォーマットを用いない、UEは前記一つ目のプリコーディング行列のインデックスを指示する第１類PMIをフィードバックし、単一伝送モードでのCQI/PMI算出はRIのフィードバックに基づく。
【０１１１】
ここで、a0は２より大きい又は等しい正の整数である。
【０１１２】
最適な実施例３
本最適な実施例３のチャネル状態情報のフィードバック方法は、以下を含む。
【０１１３】
単一伝送モードで、UEは指示情報に基いてチャネル状態情報に含まれる内容を確定し、ここで、指示情報は基地局eNodeBが発行したハイレイヤ配置シグナル情報である。
【０１１４】
UEは、eNodeBにチャネル状態情報を送信し、ここで、チャネル状態情報は第１類PMI、第２類PMI、RIとCQI情報の中の少なくとも一つを含み、ここで、PUSCHで第１類PMIと第２類PMIをフィードバック伝送する。
【０１１５】
本実施例で、第１類PMIと第２類PMIがPUSCHでのフィードバックモードは、UE選択サブバンドフィードバックモード、即ちMode２−２、即ち複数CQI、複数PMIフィードバックモードである。
【０１１６】
Mode２−２で、RIがa0より小さい又は等しい時、以下のような六つの状況に分かれる。
【０１１７】
状況１：
UEはサブバンド集合Sから最適なM個の大きさがkであるサブバンドを選択し、コードブックサブ集合からこのM個のサブバンドのために一つの最適な一つ目のプリコーディング行列を選択し、コードブックサブ集合からこのM個のサブバンドのために一つの最適な二つ目のプリコーディング行列を選択する。各コードストリームに対して、UEは選択したM個のサブバンドのために一つのサブバンドCQIをフィードバックする。UEはM個のサブバンドを相手にする二つのPMIをフィードバックし、一つは前記一つ目のプリコーディング行列を指示することに利用される第１類PMIであり、もう一つは前記第２プリコーディング行列を指示することに利用される第２類PMIである。コードブックサブ集合から全体サブバンドの集合Sのために一つの最適な一つ目のプリコーディング行列を選択し、コードブックサブ集合から全体サブバンドの集合Sのために一つの最適な二つ目のプリコーディング行列を選択する。各コードストリームに対して、UEは全体サブバンドの集合Sのために一つのブロードバンドCQIをフィードバックする。UEは全体のブロードバンド(サブバンド集合S)を相手にする二つのPMIをフィードバックし、一つは前記一つ目のプリコーディング行列を指示することに利用される第１類PMIであり、もう一つは前記第２プリコーディング行列を指示することに利用される第２類PMIである。CQI/PMIの算出はRIのフィードバックの制限を受ける。
【０１１８】
または、状況２：
UEはサブバンド集合Sから最適なM個の大きさがkであるサブバンドを選択し、コードブックサブ集合からこのM個のサブバンドのために一つの最適な二つ目のプリコーディング行列を選択する。各コードストリームに対して、UEは選択したM個のサブバンドのために一つのサブバンドCQIをフィードバックする。UEはM個のサブバンドに係わる二つのPMIをフィードバックし、一つは前記一つ目のプリコーディング行列を指示することに利用される第１類PMIであり、もう一つは前記第２プリコーディング行列を指示することに利用される第２類PMIである。コードブックサブ集合から全体サブバンドの集合Sのために一つの最適な二つ目のプリコーディング行列を選択する。各コードストリームに対して、UEは全体サブバンドの集合Sのために一つのブロードバンドCQIをフィードバックする。UEは全体のブロードバンド(サブバンド集合S)に対する一つのPMIをフィードバックし、前記一つ目のプリコーディング行列を指示することに利用される第１類PMIである。CQI/PMIの算出はRIのフィードバックの制限を受ける。
【０１１９】
または、状況３：
UEはサブバンド集合Sから最適なM個の大きさがkであるサブバンドを選択し、コードブックサブ集合からこのM個のサブバンドのために一つの最適な一つ目のプリコーディング行列を選択し、コードブックサブ集合からこのM個のサブバンドの各サブバンドのために全部一つの最適な二つ目のプリコーディング行列を選択する。各コードストリームに対して、UEは選択したM個のサブバンドのために一つのサブバンドCQIをフィードバックする。UEはM個のサブバンドを相手にするM+1個のPMIをフィードバックし、一つは前記一つ目のプリコーディング行列を指示することに利用される第１類PMIであり、他のM個は前記第２プリコーディング行列を指示することに利用される第２類PMIである。コードブックサブ集合から全体サブバンドの集合Sのためにひとつの最適な一つ目のプリコーディング行列を選択し、コードブックサブ集合から全体サブバンドの集合Sのために一つの最適な二つ目のプリコーディング行列を選択する。各コードストリームに対して、UEは全体サブバンドの集合Sのために一つのブロードバンドCQIをフィードバックする。UEは全体のブロードバンド(サブバンド集合S)を相手にする二つのPMIをフィードバックし、一つは前記一つ目のプリコーディング行列を指示することに利用される第１類PMIであり、もう一つは前記第２プリコーディング行列を指示することに利用される第２類PMIである。CQI/PMI計算はRIのフィードバックの制限を受ける。
【０１２０】
または、状況４：
コードブックサブ集合から全体サブバンドの集合Sのために一つの最適な二つ目のプリコーディング行列を選択し、また対応する第２類PMIをフィードバックすることを含まないことを除いて、他は状況１と同じである。こんな状況で、全体サブバンドの集合Sのために、一つの固定値の二つ目のプリコーディング行列を選択し、又は二つ目のプリコーディング行列を選択せず、それに全体サブバンドの集合Sの第２類PMIをフィードバックする必要がない。
【０１２１】
または、状況５：
コードブックサブ集合から全体サブバンドの集合Sのために一つの最適な二つ目のプリコーディング行列を選択し、また対応する第２類PMIをフィードバックることを含まないことを除いて、他は状況２と同じである。こんな状況で、全体サブバンドの集合Sのために、一つの固定値の二つ目のプリコーディング行列を選択し、又は二つ目のプリコーディング行列を選択せず、それに全体サブバンドの集合Sの第２類PMIをフィードバックする必要がない。
【０１２２】
または、状況6：
コードブックサブ集合から全体サブバンドの集合Sのために一つの最適な二つ目のプリコーディング行列を選択し、また対応する第２類PMIをフィードバックることを含まないことを除いて、他は状況３と同じである。こんな状況で、全体サブバンドの集合Sのために、一つの固定値の二つ目のプリコーディング行列を選択し、又は二つ目のプリコーディング行列を選択せず、それに全体サブバンドの集合Sの第２類PMIをフィードバックする必要がない。
【０１２３】
Mode２−２で、RIがa0より大きい時、
UEはサブバンド集合Sから最適なM個の大きさがkであるサブバンドを選択し、コードブックサブ集合からこのM個のサブバンドのために一つの最適な一つ目のプリコーディング行列を選択し、このM個のサブバンドのために一つの固定値或は最適な二つ目のプリコーディング行列を選択し、又は二つ目のプリコーディング行列を選択しない。各コードストリームに対して、UEは選択したM個のサブバンドのために一つのサブバンドCQIをフィードバックする。UEはM個のサブバンドを相手にする一つの第１類PMIをフィードバックする。全体サブバンドの集合Sのために一つの最適な一つ目のプリコーディング行列を選択し、全体サブバンドの集合Sのために一つの固定値の二つ目のプリコーディング行列を選択し、又は二つ目のプリコーディング行列を選択しない。各コードストリームに対して、UEは全体サブバンドの集合Sのために一つのブロードバンドCQIをフィードバックする。UEは全体のブロードバンド(サブバンド集合S)を相手にする一つのPMIをフィードバックする。CQI/PMI算出はRIのフィードバックの制限を受ける。
【０１２４】
ここで、本発明は、第２プリコーディングコードブックからサブバンド集合Sのために固定の第２プリコーディング行列W２を選択する時、サブバンド集合Sの一つのPMIだけフィードバックする必要があることを更に含む。
【０１２５】
ここで、本発明は、第２プリコーディングコードブックからサブバンド集合Sのために固定の第２プリコーディング行列W２を選択する時、最適なM個サブバンドの集合の一つのPMIだけ必要とする。
【０１２６】
最適な実施例４
本最適な実施例４のチャネル状態情報のフィードバック方法は以下を含む。
【０１２７】
単一伝送モードで、UEは指示情報に基いてチャネル状態情報に含まれる内容を確定し、ここで、指示情報は基地局eNodeBが発行したハイレイヤ配置シグナル情報である。
【０１２８】
UEは、第１類PMI、第２類PMI、RIとCQI情報の中の少なくとも一つを含むチャネル状態情報をeNodeBに送信し、ここで、PUSCHで第１類PMIと第２類PMIをフィードバック伝送する。
【０１２９】
本実施例で、第１類PMIと第２類PMIがPUSCHでのフィードバックモードはハイレイヤ配置サブバンドフィードバックモード、即ちMode３−１、即ち単一CQI、複数PMIフィードバックモードである。
【０１３０】
Mode３−１で、コードブックサブ集合から全体サブバンドの集合Sのために一つの最適な一つ目のプリコーディング行列W１を選択し、コードブックサブ集合から全体サブバンドの集合Sのために一つの最適な二つ目のプリコーディング行列W２を選択し、各コードストリームに対して、UEは全体サブバンドの集合Sのために一つのブロードバンドCQIをフィードバックし、UEは全体のブロードバンド(サブバンド集合S)に係る二つのPMIをフィードバックし、一つは前記W１を指示する第１類PMIであり、もう一つは前記W２を指示する第２類PMIであり、CQI/PMIの算出はRIのフィードバックの制限を受ける。
【０１３１】
または、
Mode３−１で、コードブックサブ集合から全体サブバンドの集合Sのために一つの最適な一つ目のプリコーディング行列W１を選択し、全体サブバンドの集合Sのために一つの固定値の二つ目のプリコーディング行列W２を選択し、各コードストリームに対して、UEは全体サブバンドの集合Sのために一つのブロードバンドCQIをフィードバックし、UEは全体のブロードバンド(サブバンド集合S)に係る一つのPMIをフィードバックし、これは前記W１を指示する第１類PMIであり、CQI/PMIの算出はRIのフィードバックの制限を受ける。
【０１３２】
ここで、本発明は、第２プリコーディングコードブックからサブバンド集合Sのために所定の第２プリコーディング行列W２を選択する時、サブバンド集合Sの一つのPMIだけフィードバックする必要があることを更に含む。
【０１３３】
図面のフローチャートに示すステップは例えばコンピュータ実行可能な命令を搭載したコンピューターシステムで実行することができ、またフローチャートでロジック順序を示したが、場合によっては、前記とは異なる順序で、示されたまたは説明されたステップを実行することができる。
【０１３４】
図３は本発明の実施例に係る端末のブロック図であり、該端末は前記チャネル状態情報のフィードバック方法を実現することに利用されることができ、確定ブロック３０２とフィードバックブロック３０４を含む。以下に、その構造について詳しく説明する。
【０１３５】
確定ブロック302、第１類PMIと第２類PMIを含むチャネル状態情報を確定し、その中、第１類PMIは第１プリコーディング行列が第１プリコーディングコードブックでのインデックスを指示することに利用され、第１プリコーディング行列はブロードバンド及び/または長期チャネルのチャネル情報をマッピングすることに利用され、第２類PMIは第２プリコーディング行列が第２プリコーディングコードブックでのインデックスを指示することに利用され、第２プリコーディング行列はサブバンド及び/または短期チャネルのチャネル情報をマッピングすることに利用される。フィードバックブロック３０４は、確定ブロック３０２に接続され、PUSCHで確定ブロック３０２が確定した第１類PMIと第２類PMIを含むチャネル状態情報をフィードバックする。
【０１３６】
関連技術では、PMIに対して区分してフィードバックしないため、フィードバックしたチャネル状態情報は精度が不足し、シングルユーザMIMOとマルチユーザMIMOの動的切替の伝送モードがチャネル状態情報に対する高精度要求を満足させることができない。本発明の実施例では、確定ブロック３０２を通じて、区分した後のPMIをフィードバックするチャネル状態情報の内容に含ませることによって、チャネル状態情報の精度を大幅に向上させた。そして基地局としてフィードバックブロック３０４がフィードバックしたチャネル状態情報に基いて、適時にチャネルのリアルタイム状況を把握するようにして、シングルユーザMIMO伝送、マルチユーザMIMO伝送とシングルユーザMIMO/マルチユーザMIMOの動的切替の伝送を支援するようにする。それによってシステムの性能を大幅に向上させた。
【０１３７】
本発明の前記実施例によると、チャネル状態情報のフィードバック方法及び端末を提供する。シングルユーザMIMOとマルチユーザMIMOの動的切替の伝送モードで、必要とする第１類PMI及び/または第２類PMIをチャネル状態情報に含ませることによって、UEフィードバックのチャネル状態情報の精度を向上させた。そして基地局が実際のチャネル条件に基いて動的にシングルユーザMIMO伝送またはマルチユーザMIMO伝送を選択でき、システムの性能を大幅に向上させた。
【０１３８】
当業者にとっては、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０１３９】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013529868.tif 000006
【図２】
2013529868.tif 000007
【図３】
2013529868.tif 000008
【国際調査報告】
2013529868.tif 000009
2013529868.tif 000010
2013529868.tif 000011
2013529868.tif 000012